(57)【特許請求の範囲】
【請求項１】
簡易浴槽に取り付けられるとともに、回動可能に設けられた回動軸と、基端がそれぞれこの回動軸の両端部に固定され先端には上記簡易浴槽内に設けられた入浴者載置用の載置シートの端部と係合する係合部が形成されてなる一方及び他方のベルトと、を備え、
上記回動軸の回動により、上記載置シートを緊張又は弛緩させることにより入浴者を昇降可能とする巻上げ装置であって、
上記簡易浴槽の端部の左右両側には一方の筒状部が形成され、上記巻上げ装置の左右両側には他方の筒状部が形成されており、上記一方の筒状部が他方の筒状部内に、又は他方の筒状部が一方の筒状部内に挿入され、簡易浴槽に着脱可能に取り付けられてなることを特徴とする巻上げ装置。
【発明の詳細な説明】
【０００１】
【産業上の利用分野】
本発明は、持ち運び可能な簡易浴槽に用いられる巻上げ装置に関するものであり、特に、寝たきり老人，病人或いは身体障害者等を入浴させる簡易浴槽と共に用いられる巻上げ装置に関するものである。
【０００２】
【従来の技術】
高齢化社会を迎えた近年、寝たきり老人の数は日々増加し、その結果寝たきり老人等を介護する必要性も高く、こうした介護に使用される各種の装置や機械器具が提案されている。また、このような現状に伴い、寝たきり老人や重度身体障害者を持つ家庭においては、日常生活に支障があり、家族だけでは十分な介護ができない場合に、所謂ホームヘルパー（老人家庭奉仕員）が派遣される制度がある。こうしたホームヘルパーの制度は、市町村や社会福祉協議会等に派遣の要請があると、家庭まで出張し、例えば入浴サービス等の介護を行うことが目的とされており、現在では極めて重要な役割を果たしているのが実情である。
【０００３】
ところで、こうしたホームヘルパーによる入浴サービスは、各家庭や老人ホーム等の施設まで出張し、お湯を浴槽内に給湯した上で、被介護者を該浴槽内に移動させ入浴させるといった一連の作業を行うものであるが、こうした作業を簡便にするために、従来、例えば実公平１−３７６１９号公報又は実公平１−２３４６１号に開示された浴槽又は担架が提案されている。上記実公平１−３７６１９号公報に記載された浴槽は、浴槽本体と、この浴槽本体のフランジ部に該浴槽本体よりもやや長尺の担架を載置してなるものである。この浴槽又は担架は、ベッド上の老人等を担架に載置させ、このまま上記浴槽上に移動させ、上記ハンドルを介して担架の載置シートを弛緩させ、浴槽内に老人等を下降させることにより入浴させるものである。なお、この担架の構成の概略は、左右の側フレームと、一端が左の側フレームに固定され他端は右の側フレームに固定されてなる横フレームとを備え、上記左の側フレームと右の側フレームとの間には、入浴者が寝た状態で載置される載置シートが形成されてなるとともに、この載置シートは、操作ハンドルにより緊張又は弛緩し得るように構成されている。また、上記実公平１−２３４６１号に開示された担架も、基本的には上記担架と同じ構成を有するものである。
【０００４】
【発明が解決しようとする課題】
ところで、上述した担架を用いて入浴させる場合には、ベッド上に寝ている老人等を先ず担架上に移載させなければならず、この作業は上記ホームヘルパー等の介護者にとっては極めて重労働である。このため、従来より、ベッド上に寝ている老人等を上方に吊り上げ、他所へ移動させるための様々な装置や機械器具が提案され、また使用されている。したがって、こうした吊り上げ用の装置や機械器具が存在する現状において又は少なくともこうした装置を使用する場合には、前述した実公平１−３７６１９号公報又は実公平１−２３４６１号に開示された浴槽又は担架は不要となる。しかしながら、各家庭や老人ホーム等の施設まで出張して浴槽内に給湯し被介護者を該浴槽内に移動させ入浴させるといった一連の作業を行うホームヘルパーや、或いは家庭や施設等で介護を行う者にとっては、浴槽全体の構成を軽量化し、簡単に組み立てることができるとともに、持ち運びに適し、被介護者を容易に上下に昇降可能とする簡易浴槽と、この簡易浴槽に取り付けられる巻上げ装置がが望まれている。すなわち、ホームヘルパーの人員不足が叫ばれている今日、運搬に多数の人員が必要となる浴槽は事実上使用することができず、さらに、高齢化の増加が著しい地方の中には、家屋に隣接する道路の道幅が狭いために車両から被介護者の下まで運搬するために長時間を要する場合があることから、従来のように、担架に固定されているものではないものであって入浴者を安定した状態で昇降させることかができる巻上げ装置が必要とされている。
【０００５】
そこで、本発明は上述した従来の巻上げ装置が有する課題を解決するために提案されたものであって、簡単な構成により安価に提供することができ、持ち運びも簡便なものであって、簡易浴槽とともに用いられ、極めて少ない人員により入浴者の体を昇降させることができる巻上げ装置を提供することを目的とするものである。
【０００６】
【発明が属する技術分野】
本発明は、上記目的を解決するために提案されたものであり、簡易浴槽に取り付けられるとともに、回動可能に設けられた回動軸と、基端がそれぞれこの回動軸の両端部に固定され先端には上記簡易浴槽内に設けられた入浴者載置用の載置シートの端部と係合する係合部が形成されてなる一方及び他方のベルトと、を備え、上記回動軸の回動により、上記載置シートを緊張又は弛緩させることにより入浴者を昇降可能とする巻上げ装置であって、上記簡易浴槽の端部の左右両側には一方の筒状部が形成され、上記巻上げ装置の左右両側には他方の筒状部が形成されており、上記一方の筒状部が他方の筒状部内に、又は他方の筒状部が一方の筒状部内に挿入され、簡易浴槽に着脱可能に取り付けられてなることを特徴とするものである。
【０００９】
【発明の実施の態様】
以下、本発明に係る簡易浴槽に取り付けられた巻上げ装置の一実施の態様について、図面を参照しながら詳細に説明する。先ず、簡易浴槽について説明した後に巻上げ装置について説明する。
【００１０】
この簡易浴槽１は、図１に示すように、アルミニウムからなるパイプ材を使用して成形された浴槽本体フレーム２と、この浴槽本体フレーム２に係止されているシートボード３と、このシートボード３の上部に配設され上記浴槽本体フレーム２に着脱可能に取り付けられている浴槽シート４と、この浴槽シート４の上部に配設される載置シートとしての上がり湯ネット５と、上記シートボード３と浴槽シート４との間に配設される臀部ストッパ６とから構成されている。
【００１１】
上記浴槽本体フレーム２は、図１乃至図３に示すように、図示しない床上に設置される下部フレーム１０と、この下部フレーム１０に下端が回動可能に取り付けられている第１乃至第４の支柱フレーム１１，１２，１３，１４と、これら第１乃至第４の支柱フレーム１１，１２，１３，１４の上端に回動可能に取り付けられてなる上部フレーム１５とから概略構成されている。そして、上記下部フレーム１０は、図３に示すように、左右の側フレーム１６，１７と、両端がこれら左右の側フレーム１６，１７と連結されてなる第１乃至第３の連結フレーム１８，１９，２０と、を備え、上記第２の連結フレーム１９と第３の連結フレーム２０とは、補強フレーム２１により連結されている。なお、上記第１の連結フレーム１８の中央には、コ字状となされた一方の連結金具１８ａ（図５参照）が固定されている。そして、上記左右の側フレーム１６，１７の先端側上面には、互いに面対向してなる第１及び第２の起立片１６ａ，１６ｂ，１７ａ，１７ｂが固定され、またこの左右の側フレーム１６，１７の後端側上面には、互いに面対向してなる第３及び第４の起立片１６ｃ，１６ｄ，１７ｃ，１７ｄが固定されている。なお、上記第１及び第２の起立片１６ａ，１６ｂ，１７ａ，１７ｂには、それぞれ水平方向に穿設された第１の長孔（符号は省略する）と、この第１の長孔と連続しており該第１の長孔の先端から下方に穿設された第２の長孔（符号は省略する）からなるＬ字状の長孔１６ｅ，１６ｅ，１７ｅ，１７ｅが穿設されている。なお、上記第３及び第４の起立片１６ｃ，１６ｄ，１７ｃ，１７ｄの中心には後述する支軸が挿通される円形状の挿通孔（符号は省略する）が穿設されている。
【００１２】
そして、上記左の側フレーム１６の先端側に固定された上記１６ａ，１６ｂの間には、第１の支柱フレーム１１の下端側が挿入されているとともに、該第１の支柱フレーム１１の左右両側には、上記長孔１６ｅ，１６ｅ内に挿入されている支軸（図４参照）１１ａが固定されている。また、同様に、上記右の側フレーム１７の先端側に固定された第１及び第２の起立片１７ａ，１７ｂの間にも、第２の支柱フレーム１２の下端側が挿入されているとともに、該第２の支柱フレーム１２の左右両側には、上記長孔１７ｅ，１７ｅ内に挿入されている支軸（符号は省略する）が固定されている。また、上記左の側フレーム１６の後端側に固定された第３及び第４の起立片１６ｃ，１６ｄの間には、第４の支柱フレーム１４の下端側が挿入されているとともに、該第４の支柱フレーム１４の左右両側には、上記第３及び第４の起立片１６ｃ，１６ｄに穿設された挿通孔内に挿通された支軸１４ａが固定されている。また、上記右の側フレーム１７の後端側に固定された第３及び第４の起立片１７ｃ，１７ｄの間には、第３の支柱フレーム１３の下端側が挿入されているとともに、該第３の支柱フレーム１３の左右両側には、上記第３及び第４の起立片１７ｃ，１７ｄに穿設された挿通孔内に挿通された支軸（符号は省略する）が固定されている。
【００１３】
そして、上記第１の支柱フレーム１１と第２の支柱フレーム１２とは、下端側垂直部１１ｂ，１２ｂと、この下端側垂直部１１ｂ，１２ｂの上端から徐々に互いに離間する方向に傾斜してなる傾斜部１１ｃ，１２ｃと、この傾斜部１１ｃ，１２ｃの上端から上方に垂直に延設されてなる上端側垂直部１１ｄ，１２ｄとから構成され、上記第１の支柱フレーム１１の下端側垂直部１１ｂと、第２の支柱フレーム１２の下端側垂直部１２ｂとは、第４の連結フレーム２２により連結されている。そして、この第４の連結フレーム２２には、コ字状となされた他方の連結金具２２ａ（図５参照）が固定されている。そして、前記第１の連結フレーム１８には、前記一方の連結金具１８ａを介して一方の固定ベルト２３の基端が取り付けられ、第４の連結フレーム２２には他方の連結金具２２ａを介して他方の固定ベルト２４の基端が取り付けられている。そして、上記一方の固定ベルト２３の先端にはバックル２３ａが固定され、他方の固定ベルト２４の先端には、上記バックル２３ａに係止される係止金具２４ａが固定されている。なお、この一方及び他方の固定ベルト２３，２４は、この簡易浴槽１を使用している際に、前記第１乃至第４の支柱フレーム１１，１２，１３，１４が回動してしまうことがないように、固定するためのものである。一方、上記第３の支柱フレーム１３と第４の支柱フレーム１４とは、第５の連結フレーム２６により連結されている。
【００１４】
次に、浴槽本体フレーム２を構成する前記上部フレーム１５について説明する。この上部フレーム１５は、全体形状が成人男子の身長よりもやや長い長さを有してなるものであって、図２に示すように、前記下部フレーム１０を構成する左の側フレーム１６の斜め上方に位置する左側フレーム部３０と、右の側フレーム１７のやや斜め上方に位置する右側フレーム部３１と、略Ｃ字状に成形されてなるとともに、一端は上記左側フレーム部３０の先端に連動蝶番３２を介して折り畳み可能に固定され他端は右側フレーム部３０の先端に連動蝶番３３を介して折り畳み可能に固定されてなる頭部フレーム３４と、一端は上記左側フレーム部３０の後端側中途部に溶接され他端は右側フレーム部３０の後端側中途部に溶接されてなる第６の連結フレーム３５と、首載置フレーム３６とから構成されている。上記首載置フレーム３６は、一端が上記左側フレーム部３０の先端側中途部に溶接され他端は右側フレーム部３１の先端側中途部に溶接されてなるものであって、中央には入浴者の首が載置される凹状の段差部３６ａが形成され、また左右両端側の前面には、図１及び図２に示すように、後述する上がり湯ネット５を構成するリング部７１ａ，７２ａが係止される係止用凸部３６ｂ，３６ｃが設けられている。
【００１５】
また、上記左側フレーム部３０の先端側下面には、互いに面対向するとともに後述する支軸が挿通される挿通孔（符号は省略する）が穿設された第５及び第６の起立片３０ａ，３０ｂが固定され、後端側下面には互いに面対向するとともに後述する支軸が挿通される挿通孔（符号は省略する）が穿設された第７及び第８の起立片３０ｃ，３０ｄが固定されている。なお、この第７及び第８の起立片３０ｃ，３０ｄには、図４に示すように、ストッパ３０ｅが固定され、図４に示す位置よりも上部フレーム１５が後端方向に移動することがないようにされている。また、上記右側フレーム部３１の先端側下面には、互いに面対向するとともに後述する支軸が挿通される挿通孔（符号は省略する）が穿設された第５及び第６の起立片３１ａ，３１ｂが固定され、後端側下面には互いに面対向するとともに後述する支軸が挿通される挿通孔（符号は省略する）が穿設された第７及び第８の起立片３１ｃ，３１ｄが固定されている。そして、上記左側フレーム部３０に固定された第５及び第６の起立片３０ａ，３０ｂの間には、挿通孔に挿通される支軸４０（図４参照）が両側に固定された前記第１の支柱フレーム１１の上端が配設され、第７及び第８の起立片３０ｃ，３０ｄ間には、挿通孔に挿通される支軸４１（図４参照）が両側に固定された前記第４の支柱フレーム１４の上端が配設されている。また、上記右側フレーム部３１に固定された第５及び第６の起立片３１ａ，３１ｂの間には、挿通孔に挿通される支軸（符号は省略する）が両側に固定された前記第２の支柱フレーム１２の上端が配設され、第７及び第８の起立片３１ｃ，３１ｄ間には、挿通孔に挿通される支軸（符号は省略する）が両側に固定された前記第３の支柱フレーム１３の上端が配設されている。なお、上述した上部フレーム１５を構成する頭部フレーム３４，首載置フレーム３６，左側フレーム部３０，右側フレーム部３１及び第６の連結フレーム３５の下面には、図示しない一方の面状ファスナーが貼付されている。
【００１６】
そして、上述のように構成された簡易浴槽１を構成する上部フレーム１５の後端には、本発明に係る巻上げ装置４４が着脱可能に取り付けられている。この巻上げ装置４４は、図６に示すように、下面に長方形状の開口が形成され上面には持ち運び用のベルト４５ａが取り付けられた直方体状の筐体４５と、この筐体４５の一端から他端に亘って回動可能に配設された回動軸４６と、この回動軸４６の一端側に固定され互いに面対向してなる第１及び第２のフランジ板４７，４８と、該回動軸４６の他端側に固定され互いに面対向してなる第３及び第４のフランジ板４９，５０とを備えている。そして、上記第１のフランジ板４７と第２のフランジ板４８との間であって上記回動軸４６には一方のベルト５１の基端が固定され、また第３のフランジ板４９と第４のフランジ板５０との間であって回動軸４６には他方のベルト５２の基端が固定されている。これら一方及び他方のベルト５１，５２の先端には、基端が回動可能となされた軸部５３ａ，５４ａが設けられた一方及び他方のフック５３，５４が固定されている。そして、上記回動軸４６の中央には、平歯車５５が固定されている。また，上記筐体４５には、回動可能に巻上げハンドル５７が取り付けられ、この巻上げハンドル５７には、上記平歯車５５に噛合してなるラックギア５８が固定されている。したがって、この巻上げ装置４４は、上記巻上げハンドル５７を、時計回り方向（図６中矢印Ａ方向）に回動操作すると、上記ラックギア５８及び平歯車５５を介して回動軸４６が回転し、これによって上記一方及び他方のベルト５１，５２が徐々に巻き取られ、逆に上記巻上げハンドル５７を反時計回り方向（図６中矢印Ｂ方向）に回動操作すると、回動軸４６に巻き取られていた一方及び他方のベルト５１，５２が徐々にこの簡易浴槽１の先端側に繰り出されるようにされている。なお、上記筐体４５の左側面下端には、上記簡易浴槽１の左側フレーム部３０の後端に形成された開口３０ｆ内に挿入される挿入部としての一方のパイプ６０が固定され、該筐体４５の右側面下端には、簡易浴槽１の右側フレーム部３１の後端に形成された開口３１ｆ内に挿入される挿入部としての他方のパイプ６１が固定されている。
【００１７】
また、前記シートボード３は、樹脂により板状に成形されやや可撓性を有する板体であって、先端の両側には前記首載置フレーム３６に形成された凹状の段差部３６ａに係止される係止金具６３，６４が取り付けられてなる前側ボード部６５と、この前側ボード部６５の後端にリベット（符号は省略する）により固定された後ろ側ボード部６６とから構成されている。なお、この後ろ側ボード部６６の左側であって後端側には、前記第４の支柱フレーム１４の外形に対応した第１の切欠き６６ａが設けられ、右側の後端側には、前記第３の支柱フレーム１３の外形に対応した第２の切欠き６６ｂが設けられており、後端には、第３の切欠き６６ｃが設けられている。
【００１８】
また、前記浴槽シート４は、耐熱性を有する外側シート４ａとこの外側シート４ａの内側に形成され該外側シート４ａよりも可撓性を有する内側シート４ｂとから構成されてなるものであって、先端側には、入浴者の頭部を温め又は頭部を洗浄するための湯水が収容されるとともに前記頭部フレーム３４と首載置フレーム３６との間に挿入される頭部側袋部４ｃと、上記首載置フレーム３６と左側フレーム部３０と右側フレーム部３１と第６の連結フレーム３５との間に挿入され、入浴者の体が収容される体側袋部４ｄとが形成されている。また、上記頭部側袋部４ｃを構成する上記外側シート４ａと内側シート４ｂには、前記係止用凸部３６ｂ，３６ｃが挿通され外部に露出されるための開口４ｅ，４ｆが設けられている。なお、上記外側シート４ａの上端外周縁には、前記左側フレーム部３０等に貼付された一方の面状ファスナーに付着される他方の面状ファスナーが貼付されている。すなわち、上記上部フレーム１５とこの浴槽シート４とは、上記一方及び他方の面状ファスナーにより機械的に取り付けられている。
【００１９】
また、前記上がり湯ネット５は、本発明を構成する載置シートであるとともに、入浴者が載置される部材であって、図１に示すように、長方形状に成形されたネットからなるネット本体７０と、このネット本体７０の左右両側に固定されてなるとともに該ネット本体７０の長さよりも長尺となされた左右のロープ７１，７２とから構成されている。そして、上記左のロープ７１の先端には、第１のリング部７１ａが形成され、後端には第２のリング部７１ｂが形成され、同じように、上記右のロープ７２の先端には第１のリング部７２ａが形成され、後端には第２のリング部７２ｂが形成されている。なお、上記左右のロープ７１，７２の先端に形成された各第１のリング部７１ａ，７２ａは、それぞれ前記首載置フレーム３６に設けられた係止用凸部３６ｂ，３６ｃに係止される部位であり、また、該左右のロープ７１，７２の後端に形成された各第２のリング部７１ｂ，７２ｂは、前記巻上げ装置４４を構成する一方及び他方のベルト５１，５２の先端に設けられた一方及び他方のフック５３，５４に係止される部位である。
【００２０】
また、前記臀部ストッパ６は、図８及び図９に示すように、シートボード３上であって該シートボード３の長さ方向とは直交する方向に載置されるものであり、ゴム又は発泡スチロール等により成形されている。
【００２１】
以下、上述のように構成されたこの簡易浴槽１の使用方法について説明する。なお、説明の都合上、この簡易浴槽１が組み立てられた後の状態から説明する。すなわち、図示しないベッド上に寝ている老人等の入浴者を、図示しない吊り上げ装置等により上方に吊り上げ、上記ベッドの側方に設置した上記簡易浴槽１上まで移動させ、その後に下降させる。なお、このとき上記上がり湯ネット５は、予め巻上げ装置４４の操作により緊張した状態としておく。したがって、入浴者Ｐは、図８に示すように、上記上がり湯ネット５上に載置されることとなる。そして、このように入浴者Ｐを上がり湯ネット５上に載置する作業が終了すると、次いで、上記巻上げ装置４４を構成する巻上げハンドル５７を図６中矢印Ｂ方向に回転させる。この巻上げハンドル５７の回転操作により、徐々に一方及び他方のベルト５１，５２が繰り出されこれによって今まで緊張していた上がり湯ネット５は徐々に弛緩され、入浴者Ｐは、図９に示すように、浴槽シート４内にはられたお湯内に徐々に入れられる。なお、この浴槽シート４には、前述したように、体側袋部４ｄ以外に頭部側袋部４ｃが形成されていることから、この頭部側袋部４ｃ内にお湯によりシャンプー等を行うことができるとともに、この頭部側袋部４ｃと体側袋部４ｄとは区画されていることから、体を洗った後の湯水又はシャンプーをした後の湯水が相互に一体となることがない。
【００２２】
そして、上記浴槽シート４内での入浴が終了すると、再び前記巻上げ装置４４を構成するハンドル５７を図６中矢印Ａ方向に回転させ、上がり湯ネット５を緊張させることにより、入浴者Ｐを図８に示すように、浴槽シート４内から上昇させる。この操作により、この上がり湯ネット５を構成するネット本体７０はネットから構成されているので、石鹸等が使用された湯水は入浴者Ｐの体から流れ落ちる。そして、このように上昇された後に、体に付着した石鹸水等を流すために所謂上がり湯を図示しないシャワーセット等により入浴者Ｐの身体や頭部Ｐ１  にかける。したがって、この簡易浴槽１によれば、浴槽シート４内の湯水を全て取り除く作業は必要がないことから、湯水を取り除く作業中に入浴者Ｐの身体が冷えてしまうことを有効に防止することができる。そして、上がり湯により身体の洗浄が終了した後には、入浴者Ｐの身体に付着した湯水をタオル等で拭き取り、再び図示しない吊り上げ装置により上記上がり湯ネット５上からベッド上に移送させる。
【００２３】
そして、上述した工程で入浴作業が終了すると、この簡易浴槽１を図１に示すように分解するとともに、浴槽本体フレーム２と巻上げ装置４４とを図６に示すように取り外す。なお、前記浴槽本体フレーム２は、図７に示すように、下部フレーム１６上に第１乃至第４の支柱フレーム１１，１２，１３，１４（第３及び第４の支柱フレーム１３，１４は図７中に図示されていない）が水平状態となりさらにこれらの第１乃至第４の支柱フレーム１１，１２，１３，１４上に上部フレーム１５が位置するように折り畳むとともに、頭部フレーム３４も連動蝶番３２，３３を介して折り畳む。なお、このように浴槽本体フレーム２を折り畳む場合には、予め前記一方の固定ベルト２３と他方の固定ベルト２４とは切り離して置く。
【００２４】
このように、上述した簡易浴槽１は、折り畳み可能な浴槽本体フレーム２と、シートボード３と、浴槽シート４と、上がり湯ネット５と、臀部ストッパ６と、前述した巻上げ装置４４とから構成されていることから、持ち運びも簡単でありまた組み立ても簡単であることから、少人数で老人等を入浴させる一連の作業を行うことができる。特に、巻上げ装置４４により緊張又は弛緩する上がり湯ネット５により、使用した湯水を取り除くために入浴者Ｐを長時間待たせることなく素早く上がり湯で身体を洗浄することができる。また、上記巻上げ装置４４は、浴槽本体フレーム２を構成する上部フレーム１５に着脱可能に取り付けられるものであり、従来のように、担架に固定されているものではないとともに単に簡易浴槽に対して従来の担架を載置したものでもないことから、部品点数を削減し安価に製造することができるばかりか、持ち運びも一層楽なものとすることができる。
【００２５】
上述した本発明の一実施の形態の説明からも明らかなように、本発明に係る巻上げ装置によれば、一方及び他方のベルトの係合部に係合した載置シートを上記回動軸の回動により容易に緊張させ又は弛緩させ、該載置シート上の入浴者を容易に安定した状態で昇降可能とすることができる。また、この巻上げ装置により、上記載置シートを緊張させ入浴者を上昇させるにより、入浴者を待たせることなく使用した湯水を取り除き、素早く上がり湯で体を洗浄することができる。さらに、この発明では、簡易浴槽の端部の左右両側に形成された一方の筒状部が、巻上げ装置の左右両側に形成された他方の筒状部内に、又は他方の筒状部が一方の筒状部内に挿入され、簡易浴槽に着脱可能に取り付けられる構成を採用していることから、老人でも極めて簡単に着脱操作することが可能となる。
【００２６】
特に、第２の発明（請求項２記載の発明）の発明によれば、載置シート上の入浴者を容易に安定した状態で昇降可能とすることができる。また、この載置シートにより浴槽から入浴者を上昇させることにより、入浴者を待たせることなく使用した湯水を取り除き、素早く上がり湯で体を洗浄することができる。
【００２７】
さらに第３の発明（請求項３記載の発明）によれば、簡易浴槽の端部と巻上げ装置は、一方の筒状部が他方の筒状部内に、又は他方の筒状部が一方の筒状部内に挿入されて該簡易浴槽に取り付けられる構成であることから、着脱装置は老人でも極めて簡単に着脱操作を行うことができる。
【図面の簡単な説明】
【図１】図１は、本発明の一実施の態様に係る簡易浴槽の分解斜視図である。
【図２】図２は、浴槽本体フレームの平面図である。
【図３】図３は、浴槽本体フレームを構成する下部フレームの平面図である。
【図４】図４は、図２に示す浴槽本体フレームの側面図である。
【図５】図５は、一方及び他方の固定ベルトを示す斜視図である。
【図６】図６は、巻上げ装置の構成を示す斜視図である。
【図７】図７は、浴槽本体フレームを折り畳んだ状態を示す側面図である。
【図８】図８は、入浴者が上がり湯シート上に載置された状態を模式的に示す側断面図である。
【図９】図９は、図８に示す状態から巻上げ装置を操作し入浴者が下降した後の状態を示す側断面図である。
【符号の説明】
１  簡易浴槽
２  浴槽本体フレーム
４  浴槽シート
５  上がり湯ネット
１０  下部フレーム
１１  第１の支柱フレーム
１２  第２の支柱フレーム
１３  第３の支柱フレーム
１４  第４の支柱フレーム
１５  上部フレーム
３６  首載置フレーム
４４  巻上げ装置
４６  回動軸
５１  一方のベルト
５２  他方のベルト
５７  巻上げハンドル
【図１】
0003613391.tif 000002
【図２】
0003613391.tif 000003
【図３】
0003613391.tif 000004
【図４】
0003613391.tif 000005
【図５】
0003613391.tif 000006
【図６】
0003613391.tif 000007
【図７】
0003613391.tif 000008
【図８】
0003613391.tif 000009
【図９】
0003613391.tif 000010